(57)【要約】【課題】移動区間の通線経路においてワイヤハーネスが他部材と干渉するのを防止する。【解決手段】自動車の固定部材に挟まれた空間に移動自在に配索されたワイヤハーネスに取り付ける干渉防止用のワイヤハーネス部品であって、ゴムからなり山状頂点を備えた算盤玉形状とした環状体からなる。または、ワイヤハーネスに外嵌固定する環状体と、該環状体の外周面の全周から放射状に突出する多数の可撓性または伸縮性を有する細条片からなる。固定部材へ接触時には、外周面に突出する山状頂点、細条片あるいは鋸歯状の突起が接触する構成としている。【選択図】図４
2008201385.tif 000002
【特許請求の範囲】
【請求項１】
自動車の固定部材に挟まれた空間に移動自在に配索されたワイヤハーネスに取り付ける干渉防止用のワイヤハーネス部品であって、
ゴムからなる算盤玉形状とした環状体からなり、中心の貫通穴は前記ワイヤハーネスの貫通用とし、
前記貫通穴の内径を前記ワイヤハーネスの外径以下としてワイヤハーネスを圧入固定し、あるいは、外周面よりテープ巻き用舌片を突設してワイヤハーネスをテープ巻き固定し、
前記固定部材へ接触時には、外周面に突出する山状頂点が接触する構成としていることを特徴とするワイヤハーネス部品。
【請求項２】
自動車の固定部材に挟まれた空間に移動自在に配索されたワイヤハーネスに取り付ける干渉防止用のワイヤハーネス部品であって、
ワイヤハーネスに外嵌固定する環状体と、該環状体の外周面の全周から放射状に突出する多数の可撓性または伸縮性を有する細条片からなり、
前記固定部材へ接触時には、前記細条片の先端を接触する構成としていることを特徴とするワイヤハーネス部品。
【請求項３】
自動車の固定部材に挟まれた空間に移動自在に配索されたワイヤハーネスに取り付ける干渉防止用のワイヤハーネス部品であって、
ワイヤハーネスに外嵌固定する環状体からなり、該環状体は円板形状で、周方向に間隔をあけて穴部を備えていると共に外周面の全面に鋸歯状の突起を備え、
前記固定部材へ接触時には、前記鋸歯状の突起の先端を接触する構成としていることを特徴とするワイヤハーネス部品。
【請求項４】
前記環状体の一部を分離して、前記ワイヤハーネスに対して軸線と直交方向から取り付けできる構成としている請求項１乃至請求項３のいずれか１項に記載のワイヤハーネス部品。
【請求項５】
請求項１乃至請求項４のいずれか１項に記載のワイヤハーネス部品が取り付けられたワイヤハーネスの配索構造であって、
前記ワイヤハーネスはドア側から車体側へと架け渡され、ドアの開閉に応じてドア側からワイヤハーネスが引き出されると共に引き込まれ、ドア側においてドアインナーパネルとトリムに挟まれた空間に移動自在に配索されており、該移動自在とした部位のワイヤハーネスに前記ワイヤハーネス部品を取り付けており、
かつ、前記ワイヤハーネス部品の取付位置よりも車体側への引き出し領域の前記ワイヤハーネスに蛇腹筒部を有するグロメットを外嵌しており、
該グロメットの引出側先端にテープ巻き用舌片を突設して前記ワイヤハーネスをテープ巻き固定していると共に、該グロメットの他端は前記蛇腹筒部の谷部を内径を小径としてワイヤハーネスの外周に密着させ、該蛇腹筒部内においてワイヤハーネスを位置決め保持していることを特徴とするワイヤハーネスの配索構造。
【発明の詳細な説明】
【技術分野】
【０００１】
本発明はワイヤハーネス部品および該ワイヤハーネス部品が取り付けられたワイヤハーネスの配索構造に関し、詳しくは、自動車のパネルやトリムで挟まれた空間に移動自在に配索されるワイヤハーネスが前記パネルやトリムと干渉するのを防止するものである。
【背景技術】
【０００２】
従来、自動車の車体とドア等の間に架け渡して配索されるワイヤハーネスは、ドア等の動作に追従させるために余長部を設けており、該余長部がドア側あるいは車体側で移動自在に配索されている。
例えば、本出願人は、特開２００６−１１７０５４号公報（特許文献１）において、図１０に示すワイヤハーネス配索構造を提供している。このワイヤハーネス配索構造では、ワイヤハーネス２をドア１内部のインナーパネル３に設けたプロテクタ５を挿通させて出入用開口５ａから車体６側に引き出している。該プロテクタ５には余長吸収空間５ｂを設け、該余長吸収空間５ｂの引出用開口５ｃ位置では、ワイヤハーネス２にバンド型クランプ４を装着してワイヤハーネス２を左右に回転可能に係止し、ドア１の閉動作により余長部２ａを余長吸収空間５ｂのコーナー部５ｄに沿って湾曲させて余長吸収空間５ｂにワイヤハーネス２を収容している。
【０００３】
【特許文献１】特開２００６−１１７０５４号公報
【発明の開示】
【発明が解決しようとする課題】
【０００４】
特許文献１のワイヤハーネス配索構造では、余長吸収空間５ｂにおいて、ワイヤハーネス２をドア１側に固定せずにフリーとしているため、ワイヤハーネス２の通線線路が不安定となり、プロテクタ５やインナーパネル３と干渉しやすくなる。この干渉が発生すると、ワイヤハーネス２はプロテクタ５やインナーパネル３に摺接しながら移動するため、異音が発生したり、ワイヤハーネス２に損傷が発生する要因となる。
【０００５】
本発明は前記問題に鑑みてなされたもので、移動自在に配索されたワイヤハーネスがドアインナーパネルあるいはドアトリム等の他部材と直接干渉しないようにして、異音の発生およびワイヤハーネスの損傷発生を防止することを課題としている。
【課題を解決するための手段】
【０００６】
前記課題を解決するため、本発明は、第１の発明として、自動車の固定部材に挟まれた空間に移動自在に配索されたワイヤハーネスに取り付ける干渉防止用のワイヤハーネス部品であって、
ゴムからなる算盤玉形状とした環状体からなり、中心の貫通穴は前記ワイヤハーネスの貫通用とし、
前記貫通穴の内径を前記ワイヤハーネスの外径以下としてワイヤハーネスを圧入固定し、あるいは、外周面よりテープ巻き用舌片を突設してワイヤハーネスをテープ巻き固定し、
前記固定部材へ接触時には、外周面に突出する山状頂点が接触する構成としていることを特徴とするワイヤハーネス部品を提供している。
【０００７】
また、第２の発明として、自動車の固定部材に挟まれた空間に移動自在に配索されたワイヤハーネスに取り付ける干渉防止用のワイヤハーネス部品であって、
ワイヤハーネスに外嵌固定する環状体と、該環状体の外周面の全周から放射状に突出する多数の可撓性または伸縮性を有する細条片からなり、
前記固定部材へ接触時には、前記細条片の先端を接触する構成としていることを特徴とするワイヤハーネス部品を提供している。
【０００８】
さらに、第３の発明として、自動車の固定部材に挟まれた空間に移動自在に配索されたワイヤハーネスに取り付ける干渉防止用のワイヤハーネス部品であって、
ワイヤハーネスに外嵌固定する環状体からなり、該環状体は円板形状で、周方向に間隔をあけて穴部を備えていると共に外周面の全面に鋸歯状の突起を備え、
前記固定部材へ接触時には、前記鋸歯状の突起の先端を接触する構成としていることを特徴とするワイヤハーネス部品を提供している。
【０００９】
前記第１〜第３の本発明のワイヤハーネス部品によれば、該ワイヤハーネス部品を取り付けたワイヤハーネスが配索空間内で移動したときに、ワイヤハーネスが前記固定部材に直接干渉せずに、ワイヤハーネスに取り付けたワイヤハーネス部品が前記固定部材に接触する。これにより、ワイヤハーネスが固定部材と干渉して損傷するのを防止することができる。
前記ワイヤハーネス部品からの突出部の先端を常時両側の固定部材に接触させてワイヤハーネスの通線経路を安定保持する構成とても良いし、ワイヤハーネスの軸直角方向に揺動した時に前記突出部の先端が接触するようにしてもよい。いずれの場合もワイヤハーネスが固定部材に接触することは防止できる。
【００１０】
前記第１の発明のワイヤハーネス部品はゴムからなる算盤玉形状として外周面の山状頂点が固定部材と接触し、第２の発明のワイヤハーネス部品は外周に設けた可撓性または伸縮性を有する細条片が固定部材と接触し、第３の発明のワイヤハーネス部品は穴部を設けた円板形状として外周の鋸歯状の突起が固定部材と接触する構成としている。
このように、固定部材と接触するワイヤハーネス部品の接触部分に弾性を持たせると共に接触面積を小さくしているため、ワイヤハーネス部品と固定部品との接触時に異音が発生するのを防止することができる。
【００１１】
第２の発明のワイヤハーネス部品の細条片としては、繊維状の細条片を密集させたもの、細条片の先端に球体を設けたもの、細条片を折り畳み状としたもの、コイル状としたものが挙げられる。
また、前記細条片は環状体と一体成形してもよいし、環状体へ植え込みや粘着テープを介して取り付けてもよい。
【００１２】
前記環状体の一部を分離して、前記ワイヤハーネスに対して軸線と直交方向から取り付けできる構成としていることが好ましい。
前記構成によれば、ワイヤハーネス部品の環状体の貫通穴にワイヤハーネスを端末から貫通させる必要がなく、環状体の分離部分を開いて、この分離部分を通してワイヤハーネスの軸線と直交方向からワイヤハーネスを環状体の貫通穴に押し込んで取り付けることができ、ワイヤハーネス部品をワイヤハーネスに容易に取り付けることができる。
【００１３】
さらに、第４の発明として、前記ワイヤハーネス部品が取り付けられたワイヤハーネスの配索構造であって、
前記ワイヤハーネスはドア側から車体側へと架け渡され、ドアの開閉に応じてドア側からワイヤハーネスが引き出されると共に引き込まれ、ドア側においてドアインナーパネルとトリムに挟まれた空間に移動自在に配索されており、該移動自在とした部位のワイヤハーネスに前記ワイヤハーネス部品を取り付けており、
かつ、前記ワイヤハーネス部品の取付位置よりも車体側への引き出し領域の前記ワイヤハーネスに蛇腹筒部を有するグロメットを外嵌しており、
該グロメットの引出側先端にテープ巻き用舌片を突設して前記ワイヤハーネスをテープ巻き固定していると共に、該グロメットの他端は前記蛇腹筒部の谷部を内径を小径としてワイヤハーネスの外周に密着させ、該蛇腹筒部内においてワイヤハーネスを位置決め保持していることを特徴とするワイヤハーネスの配索構造を提供している。
【００１４】
車体とサイドドアとの間に配索するドア用ワイヤハーネスは、従来は一般的に、ドアパネルおよび車体パネルに貫通穴を設け、これら貫通穴にワイヤハーネスを貫通させ、ウェザーストリップよりも室外側で車体とドア間にワイヤハーネスを渡り配線している。
しかしながら、前記のように、パネルに設けた貫通穴にワイヤハーネスを貫通させる作業は、ワイヤハーネスにコネクタが接続されているため非常に難作業となると共に、貫通穴の位置での防水処理が必要となる。
そのため、ドアインナーパネルとドアトリムとの間からワイヤハーネスを引き出し、ウェザーストリップより室内側を通して車体側へとワイヤハーネスを渡り配索する場合がある。この場合、貫通穴を通す作業が不要となると共に防水処理も不要となる利点があるが、特許文献１に記載のように、ドア開閉時に渡り部分のワイヤハーネスをねじると共に伸縮させる必要がある。よって、前記したように、ドア内部側でワイヤハーネスを伸縮自在（即ち、移動自在）に収容することとなり、ワイヤハーネスの移動区間では通線経路が不安定となり、ワイヤハーネスがドアインナーパネルやドアトリムと干渉するおそれがある。
【００１５】
しかしながら、ワイヤハーネスのドアインナーパネルやドアトリムと干渉し得る位置に前記ワイヤハーネス部品を取り付けておくことにより、ワイヤハーネスがドアインナーパネルやドアトリムと直接干渉するのを防止して、異音の発生およびワイヤハーネスの損傷を防止することができる。
【００１６】
また、前記ワイヤハーネス部品の取付位置よりも車体側へ引き出されて、車体側へと渡り配索する部分にはグロメットがワイヤハーネスに外装されており、該グロメットの蛇腹筒部の内部でワイヤハーネスが位置決めされていないと、蛇腹筒部の内部でワイヤハーネスが偏る場合がある。その場合、ワイヤハーネスが偏った分だけグロメットも変形し、ドア内部においてはドアインナーパネルやドアトリムに近接し、また、渡り部分では他部品と干渉する恐れがある。
しかしながら、本発明では、グロメットを挿通するワイヤハーネスは一端側でテープ巻きして位置決め保持していると共に、他端側では谷部内径を小径としてワイヤハーネスの外周に密着させているため、ワイヤハーネスをグロメットの蛇腹筒部の中心軸線上に安定保持でき、偏らないようにすることができる。よって、他部材との接触を防止でき、グロメットの蛇腹筒部の損傷発生、ひいてはワイヤハーネスの損傷発生を防止できると共に、摺接時の異音発生も防止できる。
【００１７】
なお、ワイヤハーネスが移動自在に配索される空間は、サイドドアやスライドドア等のドアインナーパネルとドアトリムに挟まれた空間に限らず、車両内部で両側固定材に挟まれた空間をワイヤハーネスが移動する箇所にも適用することができる。
【発明の効果】
【００１８】
前述したように、本発明によれば、ワイヤハーネスが固定部材に挟まれた配索空間内で移動したときに、ワイヤハーネスが固定部材に直接干渉せずに、ワイヤハーネスに取り付けたワイヤハーネス部品が固定部材に接触するため、ワイヤハーネスが固定部材と干渉して損傷するのを防止することができる。
また、固定部材と接触するワイヤハーネス部品の接触部分に弾性を持たせると共に接触面積を小さくしているため、ワイヤハーネス部品と固定部品との接触時に異音が発生するのを防止することができる。
【発明を実施するための最良の形態】
【００１９】
本発明の実施形態を図面を参照して説明する。
図１乃至図４は、本発明の第１実施形態を示し、自動車のサイドドア１０に配索されるドア用ワイヤハーネスＷ／Ｈ（以下、ワイヤハーネスＷ／Ｈと称す）を車体２０側へと配索しており、サイドドア１０と車体２０との間に架け渡した部位のワイヤハーネスＷ／Ｈにグロメット３０を外装している。
【００２０】
詳細には、サイドドア１０（以下、ドア１０と称す）内に配索したワイヤハーネスＷ／Ｈは、ドアアウターパネル１１と接合するドアインナーパネル１２と該ドアインナーパネル１２の室内面側に被せて取り付けるドアトリム１３とに挟まれた空間から引き出しており、ドア１０の開閉に応じてドア１０側からワイヤハーネスＷ／Ｈが引き出されると共に引き込まれる。
ドアインナーパネル１２とドアトリム１３との間の空間には、図２に示すように、ドアトリム１３の隅部に外周面が円弧状のスピーカ１５を配置しており、ワイヤハーネスＷ／Ｈにテープ巻き、又はバンド巻き固定したクランプ１６をスピーカ１５の下方位置でドアインナーパネル１２に係止している。
【００２１】
ドアトリム１３の車体対向壁１３ａには、スピーカ１５と対向する位置にワイヤハーネス引出位置となるワイヤハーネス引出口１３ｃを設け、該ワイヤハーネス引出口１３ｃを通してワイヤハーネスＷ／Ｈを車体２０側へ引き出している。ワイヤハーネス引出口１３ｃより引き出したワイヤハーネスＷ／Ｈはドア１０に設けたウェザーストリップ１４よりも室内側を通して架け渡している。
【００２２】
ドア１０内部に配索しているワイヤハーネスＷ／Ｈは、ワイヤハーネス引出口１３ｃから前記ワイヤハーネスを固定するクランプ１６の取り付け位置までは固定されておらず、ワイヤハーネスＷ／Ｈが移動可能なワイヤハーネス移動空間Ｓとしている。ドア１０内部に配索しているワイヤハーネスＷ／Ｈを構成する電線群はテープで荒巻きしている。
【００２３】
ワイヤハーネス移動空間Ｓのワイヤハーネス引出口１３ｃからクランプ１６までの途中に、ワイヤハーネスＷ／Ｈに干渉防止用のワイヤハーネス部品４０を取り付けている。
ワイヤハーネス部品４０は、ゴムからなる算盤玉形状とした環状体からなり、外径は軸線方向の両端から中央に向けて拡径し、軸線方向の中間位置に山状頂点４０ａを形成している。一方、ワイヤハーネス部品４０の中心の貫通穴４０ｂは径をワイヤハーネスの外径よりも若干小さくしてワイヤハーネス貫通用としており、該貫通穴４０ｂにワイヤハーネスＷ／Ｈを圧入固定して、ワイヤハーネスＷ／Ｈにワイヤハーネス部品４０を取り付けている。
【００２４】
グロメット３０の蛇腹筒部３１は、図４に示すように、ドア側先端の谷部３１ａを他の谷部３１ａ’よりも内径を小径として、ワイヤハーネスＷ／Ｈの外周に密着させ、ワイヤハーネスＷ／Ｈを蛇腹筒部３１の中心軸線上に位置させている。また、グロメット３０の車体側となる引出側先端にテープ巻き用舌片３０ａを突設して、該テープ巻き用舌片３０ａにワイヤハーネスＷ／Ｈをテープ巻き固定している。
【００２５】
次に、ドア１０の開閉に連動するワイヤハーネスＷ／Ｈの作動を説明する。
ドア１０を閉じた状態では、図３（Ａ）に示すように、ワイヤハーネスＷ／Ｈがクランプ１６による係止位置からドアトリム１３の車体対向壁１３ａに近接する側部まで、スピーカ１５外周面に沿って配索され、ワイヤハーネス引出口１３ｃの上端位置から外部に引き出されている。ワイヤハーネスＷ／Ｈに設けた余長部Ｗ／Ｈａはドアインナーパネル１２とドアトリム１３との間の空間Ｓに収容されている。
【００２６】
このとき、図３（Ａ）に示すように、ワイヤハーネスＷ／Ｈの余長部Ｗ／Ｈａは空間Ｓ内で弛んだ状態となり、余長部Ｗ／Ｈａの通線経路は不安定となるが、図４に示すように、ワイヤハーネスＷ／Ｈに取り付けたワイヤハーネス部品４０の山状頂点４０ａがドアインナーパネル１２あるいはドアトリム１３に接触し、ワイヤハーネスＷ／Ｈが直接これらに干渉するのが防止される。
【００２７】
一方、ドア１０を開いた状態では、図３（Ｂ）に示すように、前記ドア１０の開動作に伴ってスピーカ１５の外周面に沿わせていたワイヤハーネスＷ／Ｈがスピーカ１５の外周面から離反する方向に移動し、ワイヤハーネスＷ／Ｈの余長部Ｗ／Ｈａが前記空間Ｓから引き出される。このワイヤハーネスの引き出し時においても、ワイヤハーネスが軸直角方向に揺れても、ワイヤハーネス部品４０の山状頂点４０ａがドアインナーパネル１２あるいはドアトリム１３に接触し、ワイヤハーネスＷ／Ｈが直接接触するのを防止できる。
【００２８】
前記構成とすると、ワイヤハーネスＷ／Ｈが空間Ｓ内で移動したときに、ワイヤハーネスＷ／Ｈがドアインナーパネル１２やドアトリム１３に直接干渉せずに、ワイヤハーネスＷ／Ｈに取り付けたワイヤハーネス部品４０がドアインナーパネル１２やドアトリム１３と接触するため、ワイヤハーネスＷ／Ｈがこれらと干渉して損傷するのを防止することができる。
また、ワイヤハーネス部品４０のドアインナーパネル１２やドアトリム１３と接触する部分を弾性を持たせると共に接触面積を小さくした山状頂点４０ａとしているため、ワイヤハーネス部品４０とドアインナーパネル１２やドアトリム１３との接触時に異音が発生するのを防止することができる。
【００２９】
図５に、第１実施形態の第１変形例を示す。
本変形例のワイヤハーネス部品４０は、貫通穴４０ｂの周縁より軸線方向にテープ巻き用舌片４０ｃを突設すると共に、環状体の径方向にスリット４０ｄを設けて、一部を分離可能としている。
【００３０】
前記構成によれば、ワイヤハーネス部品４０をワイヤハーネスＷ／Ｈに取り付ける際に、スリット４０ｄを開き、この開いた部分にワイヤハーネスＷ／Ｈを通すことにより、ワイヤハーネス部品４０をワイヤハーネスＷ／Ｈに対して軸線と直交方向から容易に取り付けることができる。
また、ワイヤハーネスＷ／Ｈと共にテープ巻き用舌片４０ｃにテープを巻き付けることによりワイヤハーネス部品４０をワイヤハーネスＷ／Ｈの所定箇所に取り付けることができる。
なお、他の構成及び作用効果は第１実施形態と同様のため、同一の符号を付して説明を省略する。
【００３１】
図６に、第１実施形態の第２変形例を示す。
本変形例では、グロメット３０のドア側先端の谷部３１ａだけでなく、他の複数箇所の谷部３１ａを小径とし、複数箇所の谷部３１ａをワイヤハーネスＷ／Ｈの外周に密着させている。
【００３２】
前記構成によれば、グロメット３０の蛇腹筒部３１の広い範囲でワイヤハーネスＷ／Ｈを中心軸線上に配置でき、グロメット３０内でワイヤハーネスＷ／Ｈが偏って配索されるのを防止することができる。これにより、グロメット３０内でのワイヤハーネスＷ／Ｈのバタツキを防止できると共に、グロメット３０の蛇腹筒部３１の屈曲性が低下するのを防止することができる。
【００３３】
図７に、本発明の第２実施形態を示す。
本実施形態では、ワイヤハーネス部品を第１実施形態と相違させており、本実施形態のワイヤハーネス部品５０は、ワイヤハーネスに外嵌固定する環状体５１と、該環状体５１の外周面の全周から放射状に突出する多数の可撓性を有する細条片５２からなる。環状体５１は、その中心にワイヤハーネスＷ／Ｈを圧入固定する貫通穴５１ａを設ける一方、外周面に繊維状の細条片５２を密集させて突出させている。本実施形態では、ワイヤハーネス部品５０を樹脂で一体成形品としているが、細状片５２を別途形成し、これら細状片５２を環状体５１の外周面に埋め込んでもよいし、接着剤で固定してもよい。
【００３４】
前記構成によれば、第１実施形態と同様、ワイヤハーネスＷ／Ｈがドアインナーパネル１２やドアトリム１３に直接干渉するのを防止して、ワイヤハーネスＷ／Ｈの損傷や異音の発生を防止することができる。
また、ワイヤハーネス部品５０の細条片５２は可撓性を有するため、図７（Ｂ）に示すようにワイヤハーネスＷ／Ｈが移動すると、ドアインナーパネル１２とドアトリム１３に接触した細条片５２がなびいてワイヤハーネスＷ／Ｈに追従する。よって、ドアインナーパネル１２等に凸部１２ａや凹部、エッジがあっても、細条片５２がこれらに引っ掛かることがなく、ワイヤハーネスＷ／Ｈの移動を阻害することがない。
【００３５】
図８（Ａ）〜（Ｃ）に、第２実施形態のワイヤハーネス部品５０の変形例を示す。
図８（Ａ）に示す第１変形例のワイヤハーネス部品５０は、細条片５２の先端に球状部５３を設けている。
図８（Ｂ）に示す第２変形例のワイヤハーネス部品５０は、細条片５２を折り畳み状として、伸縮性を持たせている。
図８（Ｃ）に示す第３変形例のワイヤハーネス部品５０は、細条片５２をコイル状として、伸縮性を持たせている。
なお、いずれのワイヤハーネス部品５０も環状体５１と細条片５２を一体成形しても良いが、細条片５２を環状体５１に植え込み、あるいは粘着テープを介して取り付けてもよい。
また、他の構成及び作用効果は第１実施形態と同様のため、同一の符号を付して説明を省略する。
【００３６】
図９に、本発明の第３実施形態を示す。
本実施形態のワイヤハーネス部品６０は、ワイヤハーネスＷ／Ｈに外嵌固定する環状体からなり、該環状体は円板形状で、その中心にワイヤハーネス貫通用の貫通穴６０ａを設けると共に、該貫通穴６０ａを囲むように周方向に間隔をあけて穴部６０ｂを設けて、環状体自体に可撓性を持たせている。また、環状体の外周面全面に鋸歯状の突起６０ｃを設けている。
【００３７】
前記構成によれば、ワイヤハーネス部品６０に複数の穴部６０ｂを設けて可撓性を持たせると共に、外周に鋸歯状の突起６０ｃを設けているため、第１実施形態と同様、ワイヤハーネスＷ／Ｈがドアインナーパネルやドアトリムに直接干渉するのを防止して、ワイヤハーネスＷ／Ｈの損傷や異音の発生を防止することができる。
なお、他の構成及び作用効果は第１実施形態と同様のため、同一の符号を付して説明を省略する。
【００３８】
また、前記実施形態はいずれもドア内において、ドアインナーパネルとドアトリムとに挟まれた空間にワイヤハーネスを移動自在に配索している場合であるが、車両において同様にワイヤハーネスが配索される領域にも適用することができる。
例えば、スライドシート内のワイヤハーネスをフロアハーネスと接続する場合に、パネルとトリムとの間に移動自在にワイヤハーネスを配索している場合、開閉自在なルーフにおいてルーフパネルとルーフトリム内に移動可能にワイヤハーネスを配索している場合等にも、本発明のワイヤハーネス部品を用いることができる。
【図面の簡単な説明】
【００３９】
【図１】（Ａ）（Ｂ）は本発明の第１実施形態のワイヤハーネス部品をワイヤハーネスに取り付けた状態を示す図面である。
【図２】本発明の実施形態のドア用ワイヤハーネスの配索構造を示す図面である。
【図３】ワイヤハーネスの配索構造を示し（Ａ）はドアを閉じた状態を示す図面、（Ｂ）はドアを開けた状態を示す図面である。
【図４】ドアを閉じた状態のワイヤハーネス部品を示す断面図である。
【図５】（Ａ）（Ｂ）は第１実施形態の第１変形例を示す図面である。
【図６】第１実施形態の第２変形例を示す図面である。
【図７】本発明の第２実施形態を示し、（Ａ）はワイヤハーネス部品をワイヤハーネスに取り付けた状態を示す斜視図、（Ｂ）はドアを開閉してワイヤハーネスを移動させたときの様子を示す図面である。
【図８】（Ａ）〜（Ｃ）は、第２実施形態のワイヤハーネス部品の第１〜第３変形例を示す図面である。
【図９】本発明の第３実施形態を示し、（Ａ）はワイヤハーネス部品をワイヤハーネスに取り付けた状態を示す図面、（Ｂ）はワイヤハーネス部品の正面図である。
【図１０】従来例を示す図面である。
【符号の説明】
【００４０】
１０  ドア
１１  ドアアウターパネル
１２  ドアインナーパネル
１３  ドアトリム
１４  ウェザーストリップ
２０  車体
３０  グロメット
３０ａ  テープ巻き用舌片
３１  蛇腹筒部
３１ａ  谷部
４０、５０、６０  ワイヤハーネス部品
４０ａ  山状頂点
４０ｂ、５１ａ、６０ａ  貫通穴
４０ｃ  テープ巻き用舌片
６０ｂ  穴部
６０ｃ  鋸歯状の突起
５１  環状体
５２  細条片
Ｗ／Ｈ  ワイヤハーネス
Ｗ／Ｈａ  余長部
【図１】
2008201385.tif 000003
【図２】
2008201385.tif 000004
【図３】
2008201385.tif 000005
【図４】
2008201385.tif 000006
【図５】
2008201385.tif 000007
【図６】
2008201385.tif 000008
【図７】
2008201385.tif 000009
【図８】
2008201385.tif 000010
【図９】
2008201385.tif 000011
【図１０】
2008201385.tif 000012